(57)【要約】【課題】個人認証と手の消毒を同時に行える個人認証機能付手消毒装置を提供する。【解決手段】消毒液が溜められた透明の消毒液槽１６の外側に、前記消毒液槽に挿入された手１２のバイオメトリック情報を個人認証情報として読み取る非接触バイオメトリック情報読取り装置１１を備え、さらにセキュリティ領域への扉に設けられた扉電気錠２１と、セキュリティ領域に入ることが認められている人の手のバイオメトリック情報が予め登録されている記憶手段１００と、前記非接触バイオメトリック情報読取り装置で読み取られた手のバイオメトリック情報と前記記憶手段に登録された手のバイオメトリック情報との照合を行い、照合結果に基づき前記扉電気錠に解錠する信号を出力する照合手段１００と、を備えた。【選択図】図１
2007185424.tif 000002
【特許請求の範囲】
【請求項１】
消毒液が溜められた透明の消毒液槽の外側に、前記消毒液槽に挿入された手のバイオメトリック情報を個人認証情報として読み取る非接触バイオメトリック情報読取り装置を備えたことを特徴とする個人認証機能付手消毒装置。
【請求項２】
セキュリティ領域への扉に設けられた扉電気錠と、
セキュリティ領域に入ることが認められている人の手のバイオメトリック情報が予め登録されている記憶手段と、
前記非接触バイオメトリック情報読取り装置で読み取られた手のバイオメトリック情報と前記記憶手段に登録された手のバイオメトリック情報との照合を行い、照合結果に基づき前記扉電気錠に解錠する信号を出力する照合手段と、
を備えたことを特徴とする請求項１に記載の個人認証機能付手消毒装置。
【請求項３】
前記照合手段での照合結果を表示・報知する表示・報知装置をさらに備え、
前記照合手段が照合後、所定時間経過後に照合結果に基づき前記扉電気錠を解錠する信号を出力すると共に、前記表示・報知装置に照合結果の表示・報知を行わせる信号を出力することを特徴とする請求項２に記載の個人認証機能付手消毒装置。
【請求項４】
前記消毒液槽に接続され電磁弁により制御されて消毒液槽に消毒液を補充する消毒液予備タンクと、
前記消毒液槽内の消毒液の液面位置に基づき消毒液の補充のために前記電磁弁に開閉制御する信号を出力する消毒液量制御手段と、
をさらに備えたことを特徴とする請求項１ないし３のいずれか１項に記載の個人認証機能付手消毒装置。
【発明の詳細な説明】
【技術分野】
【０００１】
この発明は、個人認証機能を有する手消毒装置に関する。
【背景技術】
【０００２】
従来のこの種の装置として、湯又は水を吐水する湯水吐水手段と、殺菌液を吐出する殺菌液吐出手段とを備えた手洗い器において、使用者が携帯している個人識別情報を記憶した媒体から送信された信号を受信する個人識別情報読み取り手段と、該読み取り手段からの信号に基づいて殺菌液吐出手段からの殺菌液の吐出を許可・禁止するゲート手段とを備えている(例えば特許文献１参照)。
【０００３】
上記個人識別情報読み取り手段を有する手洗い器は、例えば病院においては、個人識別情報を記憶した媒体を所有した看護者が手指洗浄用に使用しており、飲用すると人体に危険な消毒剤等を、個人識別情報を記憶した媒体を所有していない患者や見舞い客は使用することができないようにして、看護者だけが病室内に設置されている洗面台において例えば洗浄効果の高い手指洗浄剤等を使用しての手指洗浄が可能にし、病室内から病原菌を持ち出すことがないようにしている。
【０００４】
【特許文献１】特開２００１−３４０４０３号公報
【発明の開示】
【発明が解決しようとする課題】
【０００５】
しかしながら、このような構成の装置では、個人認証と手洗いとを別々に行わなければならず、手順が非常に面倒であるという課題があった。
【０００６】
この発明は上記の課題を解消するためになされたもので、個人認証と手の消毒を同時に行える個人認証機能付手消毒装置を提供することを目的とする。
【課題を解決するための手段】
【０００７】
この発明は、消毒液が溜められた透明の消毒液槽の外側に、前記消毒液槽に挿入された手のバイオメトリック情報を個人認証情報として読み取る非接触バイオメトリック情報読取り装置を備えたことを特徴とする個人認証機能付手消毒装置にある。
【発明の効果】
【０００８】
この発明では、個人認証と手の消毒を同時に行える個人認証機能付手消毒装置を提供することができる。
【発明を実施するための最良の形態】
【０００９】
実施の形態１．
図１はこの発明の一実施の形態による個人認証機能付手消毒装置の構成を示す図、図２はこの個人認証機能付手消毒装置を構成する各機器の接続構成を示す図である。個人認証機能付手消毒装置の本体１には消毒液１７が溜められている透明の消毒液槽１６が設けられ、これに手１２を挿入することにより手１２の消毒が行われる。この消毒液槽１６の消毒液１７が溜まっている下部の外側には、挿入された手１２の静脈パターンや手１２の指１３の指紋パターン等からなるバイオメトリック情報を読み取るための非接触バイオメトリック情報読取り装置１１が設けられている。非接触バイオメトリック情報読取り装置１１は光が手や指を透過する透過型のもので、光源部１１ａと読取り部１１ｂからなる。
【００１０】
消毒液槽１６への手１２の挿入は、非接触バイオメトリック情報読取り装置１１で検出してもよいが、赤外線センサ等からなる手検出センサ１５を設けてもよい。表示・報知装置１８はバイオメトリック情報による個人認証結果を表示や音で利用者に伝えるもので、例えばランプとブザー(特に図示せず)を備える。扉電気錠２１は、例えば予めバイオメトリック情報が登録されていないと入ることのできないセキュリティ領域への扉に設けられたものである。
【００１１】
制御装置１００は図２に示すように、これらの機器が接続されて個人認証や手消毒の動作制御を行う制御装置で、例えばマイコンからなる制御部１０１と、個人認証情報であるバイオメトリック情報を予め登録しておく記憶手段であるメモリ１０３と、タイマ１０５からなる。メモリ１０３には、セキュリティ領域に入ることが認められている人の手のバイオメトリック情報が予め登録されている。
【００１２】
図３は照合手段を構成する制御装置１００の動作の一例を示すフローチャートであり、以下図に従って動作を説明する。利用者が個人認証機能付手消毒装置の本体１の消毒液槽１６に手１２を挿入すると、非接触バイオメトリック情報読取り装置１１又は手検出センサ１５からの信号により手１２の挿入が検出される(ステップＳ１)。これにより非接触バイオメトリック情報読取り装置１１により、挿入された手１２の指紋パターン又は静脈パターンからなるバイオメトリック情報が検出される。
【００１３】
そして検出されたバイオメトリック情報が制御装置１００に入力されると(ステップＳ２)、検出されたバイオメトリック情報とメモリ１０３内に予め登録されているバイオメトリック情報との照合を行う(ステップＳ３)。
【００１４】
そして検出されたバイオメトリック情報がメモリ１０３内のバイオメトリック情報と一致すれば、該利用者の個人認証が成立し、セキュリティ領域に入ることが認められている人であることが確認され、表示・報知装置１８に信号を出力し、ランプやブザーにより個人認証成立の表示・報知を行わせ(ステップＳ５)、同時にセキュリティ領域に入る扉に設けられた扉電気錠２１に信号を出力して解錠状態にする(ステップＳ６)。
【００１５】
一方、ステップＳ３の照合で不一致の場合には、表示・報知装置１８に個人認証不成立を示す表示・報知を行わせる信号を出力する(ステップＳ４)。
【００１６】
なお、手１２の消毒をより確実に行うためには、手１２を消毒液槽１６の消毒液１７に、消毒効果が十分な所定時間、入れておくことが望ましい。そこで、図３のステップＳ３のバイオメトリック情報の照合の後、破線で示すステップＳ７，Ｓ８のように、タイマ１０５に基づき、所定時間経過後に表示・報知装置１８や扉電気錠２１に信号を出力するようにして、結果表示・報知や解錠を遅らせるようにしてもよい。
【００１７】
実施の形態２．
図４はこの発明の別の実施の形態による個人認証機能付手消毒装置の構成を示す図である。図１と異なる部分は、消毒液槽１６に接続されると共に消毒液供給用電磁弁２０により制御されて消毒液槽１６に消毒液１７を補充する消毒液予備タンク１９と、消毒液１７の液面１７ａの位置から消毒液槽１６内の消毒液１７の量を検出する液面検出センサ１４をさらに備える。液面検出センサ１４は、例えば電圧がかけられた２つの電極で構成し、液面１７ａが液面検出センサ１４の位置より下に下がった時に電極間に電流が流れないことで、液面１７ａの位置を検出するものとする。その他の部分は基本的に上述の実施の形態と同じある。
【００１８】
この実施の形態においては、図３で説明した照合動作と共に、図５にフローチャートで示す消毒液量制御が、消毒液量制御手段も構成する制御装置１００により行われる。以下図５に従って消毒液量制御の動作を説明する。
【００１９】
非接触バイオメトリック情報読取り装置１１又は手検出センサ１５からの信号により手１２が挿入されていないことが確認されると(ステップＳ１０)、消毒液槽１６内の消毒液１７の量を検出するための液面検出センサ１４の出力により、液面１７ａが液面検出センサ１４の取付位置である所定位置以上か否かを判定する(ステップＳ１１)。
【００２０】
そして液面１７ａの位置が所定位置未満の場合には、消毒液槽１６内が消毒液不足と判断し、消毒液供給用電磁弁２０に開放する信号を出力する(ステップＳ１２)。これにより消毒液予備タンク１９から消毒液槽１６に消毒液１７が補充される。そして液面検出センサ１４の出力が液面１７ａの位置が所定位置以上になったことを示すと(ステップＳ１３)、消毒液供給用電磁弁２０に閉じる信号を出力する(ステップＳ１４)。
【００２１】
これにより、消毒液槽１６内の消毒液１７の液面１７ａを常に所定位置以上に保つことで、消毒液槽１６内に消毒に十分な量の消毒液１７を確保することができる。
【００２２】
なお、図５の動作は所定時間毎に行われてもよいし、例えば図３の＊で示すように、照合動作の結果の表示・報知や表示・報知と電気錠解錠の終了毎に行うようにしてもよい。
【００２３】
なお上記説明では、消毒液槽１６内の消毒液１７の液面１７ａの位置を液面検出センサ１４で検出しているが、非接触バイオメトリック情報読取り装置１１で検出するようにしてもよい。
【図面の簡単な説明】
【００２４】
【図１】この発明の一実施の形態による個人認証機能付手消毒装置の構成を示す図である。
【図２】この発明による個人認証機能付手消毒装置を構成する各機器の接続構成を示す図である。
【図３】この発明の一実施の形態による個人認証機能付手消毒装置の動作を説明するためのフローチャートである。
【図４】この発明の別の実施の形態による個人認証機能付手消毒装置の構成を示す図である。
【図５】この発明の別の実施の形態による個人認証機能付手消毒装置の動作を説明するためのフローチャートである。
【符号の説明】
【００２５】
１  本体、１１  非接触バイオメトリック情報読取り装置、１１ａ  光源部、１１ｂ  読取り部、１２  手、１３  指、１４  液面検出センサ、１５  手検出センサ、１６  消毒液槽、１７  消毒液、１７ａ  液面、１８  表示・報知装置、１９  消毒液予備タンク、２０  消毒液供給用電磁弁、２１  扉電気錠、１００  制御装置、１０１  制御部、１０３  メモリ(記憶手段)、１０５  タイマ。
【図１】
2007185424.tif 000003
【図２】
2007185424.tif 000004
【図３】
2007185424.tif 000005
【図４】
2007185424.tif 000006
【図５】
2007185424.tif 000007